(57)【要約】【課題】端末間の直接通信のためのタイミングアドバンスをより効率よく制御する。【解決手段】本出願には、無線通信システムにおいて端末がＤ２Ｄ（Ｄｅｖｉｃｅ ｔｏ Ｄｅｖｉｃｅ）リンクを介して信号を送信する方法が開示される。具体的に、前記方法は、基地局からＴＡ（Ｔｉｍｉｎｇ Ａｄｖａｎｃｅ）値についての情報を受信する段階と、前記ＴＡ値を第１Ｄ２Ｄ制御チャネルを介して対応端末に送信する段階と、前記ＴＡを適用し、前記第１Ｄ２Ｄ制御チャネルに基づいたＤ２Ｄデータチャネルを対応端末に送信する段階を含み、前記第１Ｄ２Ｄ制御チャネルは前記ＴＡが適用されない。特に、前記基地局から更新されたＴＡ値についての情報を受信した場合、前記第１Ｄ２Ｄ制御チャネルに基づいたＤ２Ｄデータチャネルを前記更新されたＴＡを適用して前記対応端末に送信し、前記更新されたＴＡの適用時、前記第１Ｄ２Ｄ制御チャネルに含まれた前記ＴＡ値についての情報は適用しないことが好ましい。【選択図】図１２
2020022196.tif 000002
【特許請求の範囲】
【請求項１】
無線通信システムにおいて端末がＤ２Ｄ（Ｄｅｖｉｃｅ ｔｏ Ｄｅｖｉｃｅ）リンクを介して信号を送信する方法であって、
基地局からＴＡ（Ｔｉｍｉｎｇ Ａｄｖａｎｃｅ）値についての情報を受信する段階と、
前記ＴＡ値を第１Ｄ２Ｄ制御チャネルを介して対応端末に送信する段階と、
前記ＴＡを適用し、前記第１Ｄ２Ｄ制御チャネルに基づいたＤ２Ｄデータチャネルを対応端末に送信する段階と、を含み、
前記第１Ｄ２Ｄ制御チャネルには前記ＴＡが適用されない、信号送信方法。
【請求項２】
前記基地局から更新されたＴＡ値についての情報を受信する段階と、
前記第１Ｄ２Ｄ制御チャネルに基づいたＤ２Ｄデータチャネルを前記更新されたＴＡを適用して前記対応端末に送信する段階と、をさらに含み、
前記更新されたＴＡの適用時、前記第１Ｄ２Ｄ制御チャネルに含まれた前記ＴＡ値についての情報は適用しない、請求項１に記載の信号送信方法。
【請求項３】
前記更新されたＴＡ値についての情報を含む第２Ｄ２Ｄ制御チャネルを介して前記対応端末に送信する段階と、
前記更新されたＴＡを適用し、前記第２Ｄ２Ｄ制御チャネルに基づいたＤ２Ｄデータチャネルを前記対応端末に送信する段階と、をさらに含む、請求項２に記載の信号送信方法。
【請求項４】
前記基地局への上りリンク信号には、
前記第１Ｄ２Ｄ制御チャネルに基づいたＤ２Ｄデータチャネルとともに前記更新されたＴＡ値が適用される、請求項２に記載の信号送信方法。
【請求項５】
前記第１Ｄ２Ｄ制御チャネルに基づいたＤ２Ｄデータチャネルは、
前記第１Ｄ２Ｄ制御チャネルの送信後から第２Ｄ２Ｄ制御チャネル送信前まで前記ＴＡが有効であるという仮定の下で送信される、請求項１に記載の信号送信方法。
【請求項６】
無線通信システムにおいてＤ２Ｄ（Ｄｅｖｉｃｅ ｔｏ Ｄｅｖｉｃｅ）リンクを介して通信を行う端末であって、
他の端末又は基地局に対して信号を送受信するための無線通信モジュールと、
前記信号を処理するためのプロセッサと、を含み、
前記プロセッサは、
前記基地局から受信したＴＡ（Ｔｉｍｉｎｇ Ａｄｖａｎｃｅ）値についての情報を第１Ｄ２Ｄ制御チャネルを介して前記対応端末に送信し、前記ＴＡを適用して前記第１Ｄ２Ｄ制御チャネルに基づいたＤ２Ｄデータチャネルを対応端末に送信するように前記無線通信モジュールを制御し、
前記第１Ｄ２Ｄ制御チャネルには前記ＴＡが適用されない、端末。
【請求項７】
前記プロセッサは、
前記基地局から更新されたＴＡ値についての情報を受信した場合、前記第１Ｄ２Ｄ制御チャネルに基づいたＤ２Ｄデータチャネルを前記更新されたＴＡを適用して前記対応端末に送信するように前記無線通信モジュールを制御し、
前記更新されたＴＡの適用時、前記第１Ｄ２Ｄ制御チャネルに含まれた前記ＴＡ値についての情報は適用しない、請求項６に記載の端末。
【請求項８】
前記プロセッサは、
前記更新されたＴＡ値についての情報を含む第２Ｄ２Ｄ制御チャネルを介して前記対応端末に送信し、前記第２Ｄ２Ｄ制御チャネルに基づいたＤ２Ｄデータチャネルを前記更新されたＴＡを適用して対応端末に送信するように前記無線通信モジュールを制御する、請求項７に記載の端末。
【請求項９】
前記基地局への上りリンク信号には、
前記第１Ｄ２Ｄ制御チャネルに基づいたＤ２Ｄデータチャネルとともに前記更新されたＴＡ値が適用される、請求項７に記載の端末。
【請求項１０】
前記第１Ｄ２Ｄ制御チャネルに基づいたＤ２Ｄデータチャネルは、
前記第１Ｄ２Ｄ制御チャネルの送信後から第２Ｄ２Ｄ制御チャネル送信前まで前記ＴＡが有効であるという仮定の下で送信される、請求項６に記載の端末。
【発明の詳細な説明】
【技術分野】
【０００１】
本発明は無線通信システムに関するもので、より詳しくは無線通信システムにおいて端末間の直接通信のためのタイミングアドバンスを制御する方法及びこのための装置に関するものである。
【背景技術】
【０００２】
本発明が適用可能な無線通信システムの一例として、３ＧＰＰ ＬＴＥ（３ｒｄ Ｇｅｎｅｒａｔｉｏｎ Ｐａｒｔｎｅｒｓｈｉｐ Ｐｒｏｊｅｃｔ Ｌｏｎｇ Ｔｅｒｍ Ｅｖｏｌｕｔｉｏｎ；以下、“ＬＴＥ”という）通信システムについて概略的に説明する。
【０００３】
図１は、無線通信システムの一例として、Ｅ−ＵＭＴＳ網の構造を概略的に示した図である。Ｅ−ＵＭＴＳ（Ｅｖｏｌｖｅｄ Ｕｎｉｖｅｒｓａｌ Ｍｏｂｉｌｅ Ｔｅｌｅｃｏｍｍｕｎｉｃａｔｉｏｎｓ Ｓｙｓｔｅｍ）は、既存のＵＭＴＳ（Ｕｎｉｖｅｒｓａｌ Ｍｏｂｉｌｅ Ｔｅｌｅｃｏｍｍｕｎｉｃａｔｉｏｎｓ Ｓｙｓｔｅｍ）から進化したシステムであって、現在、３ＧＰＰで基礎的な標準化作業を進めている。一般に、Ｅ−ＵＭＴＳは、ＬＴＥ（Ｌｏｎｇ Ｔｅｒｍ Ｅｖｏｌｕｔｉｏｎ）システムと称することもできる。ＵＭＴＳ及びＥ−ＵＭＴＳの技術規格（ｔｅｃｈｎｉｃａｌ ｓｐｅｃｉｆｉｃａｔｉｏｎ）の詳細な内容は、それぞれ「３ｒｄ Ｇｅｎｅｒａｔｉｏｎ Ｐａｒｔｎｅｒｓｈｉｐ Ｐｒｏｊｅｃｔ；Ｔｅｃｈｎｉｃａｌ Ｓｐｅｃｉｆｉｃａｔｉｏｎ Ｇｒｏｕｐ Ｒａｄｉｏ Ａｃｃｅｓｓ Ｎｅｔｗｏｒｋ」のＲｅｌｅａｓｅ ７とＲｅｌｅａｓｅ ８を参照することができる。
【０００４】
図１を参照すると、Ｅ−ＵＭＴＳは、端末（Ｕｓｅｒ Ｅｑｕｉｐｍｅｎｔ；ＵＥ、基地局（ｅＮｏｄｅ Ｂ；ｅＮＢ）、及びネットワーク（Ｅ−ＵＴＲＡＮ）の終端に位置し、外部ネットワークと接続されるアクセスゲートウェイ（Ａｃｃｅｓｓ Ｇａｔｅｗａｙ；ＡＧ、接続ゲートウェイ）を含む。基地局は、ブロードキャストサービス、マルチキャストサービス及び／又はユニキャストサービスのために多重データストリームを同時に送信することができる。
【０００５】
一つの基地局には一つ以上のセルが存在する。セルは、１．２５Ｍｈｚ、２．５Ｍｈｚ、５Ｍｈｚ、１０Ｍｈｚ、１５Ｍｈｚ、２０Ｍｈｚなどの帯域幅のうち一つに設定され、多くの端末に下りリンク又は上りリンク送信サービスを提供する。互いに異なるセルは、互いに異なる帯域幅を提供するように設定することができる。基地局は、多数の端末に対するデータ送受信を制御する。下りリンク（Ｄｏｗｎｌｉｎｋ；ＤＬ）データに対して、基地局は、下りリンクスケジューリング情報を送信し、該当の端末にデータが送信される時間／周波数領域、符号化、データサイズ、ＨＡＲＱ（Ｈｙｂｒｉｄ Ａｕｔｏｍａｔｉｃ Ｒｅｐｅａｔ ａｎｄ ｒｅＱｕｅｓｔ）関連情報などを知らせる。また、上りリンク（Ｕｐｌｉｎｋ；ＵＬ）データに対して、基地局は、上りリンクスケジューリング情報を該当の端末に送信し、該当の端末が使用可能な時間／周波数領域、符号化、データサイズ、ＨＡＲＱ関連情報などを知らせる。各基地局間には、ユーザートラフィック又は制御トラフィックの送信のためのインターフェースを使うことができる。コアネットワーク（Ｃｏｒｅ Ｎｅｔｗｏｒｋ；ＣＮ、核心網）は、ＡＧ及び端末のユーザー登録などのためのネットワークノードなどで構成することができる。ＡＧは、複数のセルで構成されるＴＡ（Ｔｒａｃｋｉｎｇ Ａｒｅａ）単位で端末の移動性を管理する。
【０００６】
無線通信技術は、ＷＣＤＭＡに基づいてＬＴＥまで開発されてきたが、ユーザーと事業者の要求と期待は増加の一途にある。また、他の無線接続技術が継続して開発されているので、今後、競争力を有するためには新たな技術進化が要求され、ビット当たりの費用減少、サービス利用可能性増大、融通性のある周波数バンドの使用、単純な構造と開放型インターフェース、端末の適度な電力消費などが要求される。
【発明の概要】
【発明が解決しようとする課題】
【０００７】
前述したような論議に基づき、以下では無線通信システムにおいて端末間の直接通信のためのタイミングアドバンスを制御する方法及びこのための装置を提案しようとする。
【課題を解決するための手段】
【０００８】
本発明の一実施例による、無線通信システムにおいて端末がＤ２Ｄ（Ｄｅｖｉｃｅ ｔｏ Ｄｅｖｉｃｅ）リンクを介して信号を送信する方法は、基地局からＴＡ（Ｔｉｍｉｎｇ Ａｄｖａｎｃｅ）値についての情報を受信する段階と、前記ＴＡ値を第１Ｄ２Ｄ制御チャネルを介して対応端末（相対端末）に送信する段階と、前記ＴＡを適用し、前記第１Ｄ２Ｄ制御チャネルに基づいたＤ２Ｄデータチャネルを対応端末に送信する段階と、を含み、前記第１Ｄ２Ｄ制御チャネルには前記ＴＡが適用されないことを特徴とする。
【０００９】
特に、前記方法は、前記基地局から更新されたＴＡ値についての情報を受信する段階と、前記更新されたＴＡを適用し、前記第１Ｄ２Ｄ制御チャネルに基づいたＤ２Ｄデータチャネルを前記対応端末に送信する段階と、をさらに含み、前記更新されたＴＡの適用時、前記第１Ｄ２Ｄ制御チャネルに含まれた前記ＴＡ値についての情報は適用しないことを特徴とする。
【００１０】
ここで、前記方法は、前記更新されたＴＡ値についての情報を含む第２Ｄ２Ｄ制御チャネルを介して前記対応端末に送信する段階と、前記更新されたＴＡを適用し、前記第２Ｄ２Ｄ制御チャネルに基づいたＤ２Ｄデータチャネルを前記対応端末に送信する段階と、をさらに含むことができる。
【００１１】
一方、本発明の他の実施例による、無線通信システムにおいてＤ２Ｄ（Ｄｅｖｉｃｅ ｔｏ Ｄｅｖｉｃｅ）リンクを介して通信を行う端末は、他の端末又は基地局に対して信号を送受信するための無線通信モジュールと、前記信号を処理するためのプロセッサと、を含み、前記プロセッサは、前記基地局から受信したＴＡ（Ｔｉｍｉｎｇ Ａｄｖａｎｃｅ）値についての情報を第１Ｄ２Ｄ制御チャネルを介して前記対応端末に送信し、前記ＴＡを適用して前記第１Ｄ２Ｄ制御チャネルに基づいたＤ２Ｄデータチャネルを対応端末に送信するように前記無線通信モジュールを制御し、前記第１Ｄ２Ｄ制御チャネルには前記ＴＡが適用されないことを特徴とする。
【００１２】
特に、前記プロセッサは、前記基地局から更新されたＴＡ値についての情報を受信した場合、前記第１Ｄ２Ｄ制御チャネルに基づいたＤ２Ｄデータチャネルを前記更新されたＴＡを適用して前記対応端末に送信するように前記無線通信モジュールを制御し、前記更新されたＴＡの適用時、前記第１Ｄ２Ｄ制御チャネルに含まれた前記ＴＡ値についての情報は適用しないことを特徴とする。
【００１３】
ここで、前記プロセッサは、前記更新されたＴＡ値についての情報を含む第２Ｄ２Ｄ制御チャネルを介して前記対応端末に送信し、前記第２Ｄ２Ｄ制御チャネルに基づいたＤ２Ｄデータチャネルを前記更新されたＴＡを適用して対応端末に送信するように前記無線通信モジュールを制御することができる。
【００１４】
前記実施例において、前記基地局への上りリンク信号には、前記第１Ｄ２Ｄ制御チャネルに基づいたＤ２Ｄデータチャネルとともに前記更新されたＴＡ値が適用されることを特徴とする。さらに、前記第１Ｄ２Ｄ制御チャネルに基づいたＤ２Ｄデータチャネルは、前記第１Ｄ２Ｄ制御チャネルの送信後から第２Ｄ２Ｄ制御チャネル送信前まで前記ＴＡが有効であるという仮定の下で送信されることを特徴とする。
【発明の効果】
【００１５】
本発明の実施例によると、端末間の直接通信のためのタイミングアドバンスをより効率よく制御することができる。
【００１６】
本発明で得られる効果は以上で言及した効果に制限されなく、言及しなかったさらに他の効果は以下の記載から本発明が属する技術分野で通常の知識を持った者に明らかに理解可能であろう。
【図面の簡単な説明】
【００１７】
【図１】無線通信システムの一例として、Ｅ−ＵＭＴＳ網の構造を概略的に示す図である。
【図２】３ＧＰＰ無線アクセスネットワーク（無線接続網）規格に基づいた端末とＥ−ＵＴＲＡＮ間の無線インターフェースプロトコル（Ｒａｄｉｏ Ｉｎｔｅｒｆａｃｅ Ｐｒｏｔｏｃｏｌ）の制御プレーン（Ｃｏｎｔｒｏｌ Ｐｌａｎｅ）及びユーザープレーン（Ｕｓｅｒ Ｐｌａｎｅ）の構造を示す図である。
【図３】３ＧＰＰシステムに用いられる物理チャネル及びこれらを用いた一般的な信号伝送方法を説明するための図である。
【図４】ＬＴＥシステムで使われる無線フレームの構造を例示する図である。
【図５】ＬＴＥシステムで使われる下りリンク無線フレームの構造を例示する図である。
【図６】ＬＴＥシステムで使われる上りリンクサブフレームの構造を示す図である。
【図７】タイミングアドバンスを適用した上りリンク伝送の時間軸調整（時間軸整列）の例を示す。
【図８】タイミングアドバンスを適用した上りリンク伝送の時間軸調整の例を示す。
【図９】端末間の直接通信の概念図である。
【図１０】端末間の直接通信の概念図である。
【図１１】Ｄ２Ｄ信号がタイミングアドバンスを使わない場合の問題点を例示する図である。
【図１２】本発明の実施例によってディスカバリーリソースプール内でタイミングアドバンスを制御する例を示す。
【図１３】本発明による通信装置のブロック構成図を例示する。
【発明を実施するための形態】
【００１８】
以下、添付図面に基づいて説明する本発明の実施例によって本発明の構成、作用及び他の特徴が容易に理解可能であろう。以下で説明する実施例は本発明の技術的特徴が３ＧＰＰシステムに適用された例である。
【００１９】
本明細書はＬＴＥシステム及びＬＴＥ−Ａシステムを使って本発明の実施例を説明するが、これは例示であり、本発明の実施例は前記定義に合うどの通信システムにも適用可能である。また、本明細書はＦＤＤ方式を基準として本発明の実施例について説明するが、これは例示であり、本発明の実施例はＨ−ＦＤＤ方式又はＴＤＤ方式にも容易に変形して適用可能である。
【００２０】
また、本明細書において、基地局の名称はＲＲＨ（ｒｅｍｏｔｅ ｒａｄｉｏ ｈｅａｄ）、ｅＮＢ、ＴＰ（ｔｒａｎｓｍｉｓｓｉｏｎ ｐｏｉｎｔ）、ＲＰ（ｒｅｃｅｐｔｉｏｎ ｐｏｉｎｔ）、中継器（ｒｅｌａｙ）などを含む包括的な用語として使われることができる。
【００２１】
図２は３ＧＰＰ無線アクセスネットワーク規格に基づいた端末とＥ−ＵＴＲＡＮ間の無線インターフェースプロトコル（Ｒａｄｉｏ Ｉｎｔｅｒｆａｃｅ Ｐｒｏｔｏｃｏｌ）の制御プレーン（Ｃｏｎｔｒｏｌ Ｐｌａｎｅ）及びユーザープレーン（Ｕｓｅｒ Ｐｌａｎｅ）構造を示す図である。制御プレーンは端末（Ｕｓｅｒ Ｅｑｕｉｐｍｅｎｔ；ＵＥ）とネットワークが呼を管理するために用いる制御メッセージが送信される通路を意味する。ユーザープレーンはアプリケーション層で生成したデータ、例えば音声データ又はインターネットパケットデータなどが送信される通路を意味する。
【００２２】
第１層である物理層は物理チャネル（Ｐｈｙｓｉｃａｌ Ｃｈａｎｎｅｌ）を用いて上位層に情報伝送サービス（Ｉｎｆｏｒｍａｔｉｏｎ Ｔｒａｎｓｆｅｒ Ｓｅｒｖｉｃｅ）を提供する。物理層は上位にある媒体アクセス制御（Ｍｅｄｉｕｍ Ａｃｃｅｓｓ Ｃｏｎｔｒｏｌ、媒体接続制御）層とは伝送チャネル（Ｔｒａｎｓｐｏｒｔ Ｃｈａｎｎｅｌ）を介して接続（連結）されている。前記伝送チャネルを介して媒体アクセス制御層と物理層の間にデータが移動する。伝送側と受信側の物理層の間は物理チャネルを介してデータが移動する。前記物理チャネルは時間と周波数を無線リソースとして活用する。具体的に、物理チャネルは下りリンクでＯＦＤＭＡ（Ｏｒｔｈｏｇｏｎａｌ Ｆｒｅｑｕｅｎｃｙ Ｄｉｖｉｓｉｏｎ Ｍｕｌｔｉｐｌｅ Ａｃｃｅｓｓ）方式で変調され、上りリンクでＳＣ−ＦＤＭＡ（Ｓｉｎｇｌｅ Ｃａｒｒｉｅｒ Ｆｒｅｑｕｅｎｃｙ Ｄｉｖｉｓｉｏｎ Ｍｕｌｔｉｐｌｅ Ａｃｃｅｓｓ）方式で変調される。
【００２３】
第２層の媒体アクセス制御（Ｍｅｄｉｕｍ Ａｃｃｅｓｓ Ｃｏｎｔｒｏｌ；ＭＡＣ）層は論理チャネル（Ｌｏｇｉｃａｌ Ｃｈａｎｎｅｌ）を介して上位層である無線リンク制御（Ｒａｄｉｏ Ｌｉｎｋ Ｃｏｎｔｒｏｌ；ＲＬＣ）層にサービスを提供する。第２層のＲＬＣ層は信頼性あるデータ伝送をサポートする。ＲＬＣ層の機能はＭＡＣ内部の機能ブロックに実装されることもできる。第２層のＰＤＣＰ（ＰａｃｋｅｔデータＣｏｎｖｅｒｇｅｎｃｅ Ｐｒｏｔｏｃｏｌ）層は帯域幅の狭い無線インターフェースでＩＰｖ４やＩＰｖ６のようなＩＰパケットを効率よく伝送するために不必要な制御情報を減らすヘッダー圧縮（Ｈｅａｄｅｒ Ｃｏｍｐｒｅｓｓｉｏｎ）機能を果たす。
【００２４】
第３層の最下部に位置する無線リソース制御（Ｒａｄｉｏ Ｒｅｓｏｕｒｃｅ Ｃｏｎｔｒｏｌ；ＲＲＣ）層は制御プレーンでのみ定義される。ＲＲＣ層は無線ベアラー（Ｒａｄｉｏ Ｂｅａｒｅｒ；ＲＢ）の設定（Ｃｏｎｆｉｇｕｒａｔｉｏｎ）、再設定（Ｒｅ−ｃｏｎｆｉｇｕｒａｔｉｏｎ）及び解除（Ｒｅｌｅａｓｅ）に関連して論理チャネル、伝送及び物理チャネルの制御を担う。ＲＢは端末とネットワークの間のデータ伝達のために第２層によって提供されるサービスを意味する。このために、端末とネットワークのＲＲＣ層は互いにＲＲＣメッセージを交換する。端末とネットワークのＲＲＣ層の間にＲＲＣ接続（ＲＲＣ Ｃｏｎｎｅｃｔｅｄ）がある場合、端末はＲＲＣ接続状態（Ｃｏｎｎｅｃｔｅｄ Ｍｏｄｅ）にあり、そうではない場合、ＲＲＣ休止状態（Ｉｄｌｅ Ｍｏｄｅ）にあることになる。ＲＲＣ層の上位にあるＮＡＳ（Ｎｏｎ−Ａｃｃｅｓｓ Ｓｔｒａｔｕｍ）層はセッション管理（Ｓｅｓｓｉｏｎ Ｍａｎａｇｅｍｅｎｔ）と移動性管理（Ｍｏｂｉｌｉｔｙ Ｍａｎａｇｅｍｅｎｔ）などの機能を果たす。
【００２５】
基地局（ｅＮＢ）を構成する一つのセルは１．２５Ｍｈｚ、２．５Ｍｈｚ、５Ｍｈｚ、１０Ｍｈｚ、１５Ｍｈｚ、２０Ｍｈｚなどの帯域幅のうち一つに設定され、多くの端末に下り又は上り伝送サービスを提供する。互いに異なるセルは互いに異なる帯域幅を提供するように設定できる。
【００２６】
ネットワークで端末にデータを送信する下り伝送チャネルは、システム情報を送信するＢＣＨ（放送Ｃｈａｎｎｅｌ）、ページングメッセージを送信するＰＣＨ（Ｐａｇｉｎｇ Ｃｈａｎｎｅｌ）、ユーザートラフィックや制御メッセージを送信する下りＳＣＨ（Ｓｈａｒｅｄ Ｃｈａｎｎｅｌ）などがある。下りマルチキャスト又は放送サービスのトラフィック又は制御メッセージの場合、下りＳＣＨを介して送信されることもでき、あるいは別個の下りＭＣＨ（Ｍｕｌｔｉｃａｓｔ Ｃｈａｎｎｅｌ）を介して送信されることもできる。一方、端末からネットワークにデータを送信する上り伝送チャネルとしては、初期制御メッセージを送信するＲＡＣＨ（Ｒａｎｄｏｍ Ａｃｃｅｓｓ Ｃｈａｎｎｅｌ）、ユーザートラフィックや制御メッセージを送信する上りＳＣＨ（Ｓｈａｒｅｄ Ｃｈａｎｎｅｌ）がある。伝送チャネルの上位にあり、伝送チャネルにマッピングされる論理チャネル（Ｌｏｇｉｃａｌ Ｃｈａｎｎｅｌ）としては、ＢＣＣＨ（放送Ｃｏｎｔｒｏｌ Ｃｈａｎｎｅｌ）、ＰＣＣＨ（Ｐａｇｉｎｇ Ｃｏｎｔｒｏｌ Ｃｈａｎｎｅｌ）、ＣＣＣＨ（Ｃｏｍｍｏｎ Ｃｏｎｔｒｏｌ Ｃｈａｎｎｅｌ）、ＭＣＣＨ（Ｍｕｌｔｉｃａｓｔ Ｃｏｎｔｒｏｌ Ｃｈａｎｎｅｌ）、ＭＴＣＨ（Ｍｕｌｔｉｃａｓｔ Ｔｒａｆｆｉｃ Ｃｈａｎｎｅｌ）などがある。
【００２７】
図３は３ＧＰＰシステムに用いられる物理チャネル及びこれらを用いた一般的な信号伝送方法を説明するための図である。
【００２８】
端末は、電源がオンされるか新たにセルに進入した場合、基地局と同期を取るなどの初期セル探索（Ｉｎｉｔｉａｌ ｃｅｌｌ ｓｅａｒｃｈ）作業を行う（Ｓ３０１）。このために、端末は、基地局から主同期チャネル（Ｐｒｉｍａｒｙ Ｓｙｎｃｈｒｏｎｉｚａｔｉｏｎ Ｃｈａｎｎｅｌ；Ｐ−ＳＣＨ）及び副同期チャネル（Ｓｅｃｏｎｄａｒｙ Ｓｙｎｃｈｒｏｎｉｚａｔｉｏｎ Ｃｈａｎｎｅｌ；Ｓ−ＳＣＨ）を受信して基地局と同期を取り、セルＩＤなどの情報を獲得することができる。その後、端末は基地局から物理放送チャネル（Ｐｈｙｓｉｃａｌ放送Ｃｈａｎｎｅｌ）を受信してセル内放送情報を獲得することができる。一方、端末は初期セル探索段階で下りリンク参照信号（Ｄｏｗｎｌｉｎｋ Ｒｅｆｅｒｅｎｃｅ Ｓｉｇｎａｌ；ＤＬＲＳ）を受信して下りリンクチャネル状態を確認することができる。
【００２９】
初期セル探索を終えた端末は物理下りリンク制御チャネル（Ｐｈｙｓｉｃａｌ Ｄｏｗｎｌｉｎｋ Ｃｏｎｔｒｏｌ Ｃｈａｎｎｅｌ；ＰＤＣＣＨ）及び前記ＰＤＣＣＨに含まれる情報によって物理下りリンク共有チャネル（Ｐｈｙｓｉｃａｌ Ｄｏｗｎｌｉｎｋ Ｃｏｎｔｒｏｌ Ｃｈａｎｎｅｌ；ＰＤＳＣＨ）を受信することによってもっと具体的なシステム情報を獲得することができる（Ｓ３０２）。
【００３０】
一方、基地局に最初に接続するかあるいは信号伝送のための無線リソースがない場合、端末は基地局に対してランダムアクセス過程（Ｒａｎｄｏｍ Ａｃｃｅｓｓ Ｐｒｏｃｅｄｕｒｅ；ＲＡＣＨ、任意の接続過程）を行うことができる（段階Ｓ３０３〜段階Ｓ３０６）。このために、端末は物理ランダムアクセスチャネル（Ｐｈｙｓｉｃａｌ Ｒａｎｄｏｍ Ａｃｃｅｓｓ Ｃｈａｎｎｅｌ；ＰＲＡＣＨ、物理任意接続チャネル）を介して特定のシーケンスをプリアンブルに送信し（Ｓ３０３及びＳ３０５）、ＰＤＣＣＨ及び対応のＰＤＳＣＨを介してプリアンブルに対する応答メッセージを受信することができる（Ｓ３０４及びＳ３０６）。競争に基づいたＲＡＣＨの場合、さらに競合解決手続き（Ｃｏｎｔｅｎｔｉｏｎ Ｒｅｓｏｌｕｔｉｏｎ Ｐｒｏｃｅｄｕｒｅ）を行うことができる。
【００３１】
前述したような手続きを行った端末は、以後に一般的な上り／下りリンク信号伝送手続きとして、ＰＤＣＣＨ／ＰＤＳＣＨ受信（Ｓ３０７）及び物理上りリンク共有チャネル（Ｐｈｙｓｉｃａｌ Ｕｐｌｉｎｋ Ｓｈａｒｅｄ Ｃｈａｎｎｅｌ；ＰＵＳＣＨ）／物理上りリンク制御チャネル（Ｐｈｙｓｉｃａｌ Ｕｐｌｉｎｋ Ｃｏｎｔｒｏｌ Ｃｈａｎｎｅｌ；ＰＵＣＣＨ）伝送（Ｓ３０８）を行うことができる。特に、端末はＰＤＣＣＨを介して下りリンク制御情報（Ｄｏｗｎｌｉｎｋ Ｃｏｎｔｒｏｌ Ｉｎｆｏｒｍａｔｉｏｎ；ＤＣＩ）を受信する。ここで、ＤＣＩは端末に対するリソース割当て情報のような制御情報を含み、その使用目的によってフォーマットが違う。
【００３２】
一方、端末が上りリンクを介して基地局に送信するあるいは端末が基地局から受信する制御情報は下りリンク／上りリンクＡＣＫ／ＮＡＣＫ信号、ＣＱＩ（Ｃｈａｎｎｅｌ Ｑｕａｌｉｔｙ Ｉｎｄｉｃａｔｏｒ）、ＰＭＩ（Ｐｒｅｃｏｄｉｎｇ Ｍａｔｒｉｘ Ｉｎｄｅｘ）、ＲＩ（Ｒａｎｋ Ｉｎｄｉｃａｔｏｒ）などを含む。３ＧＰＰ ＬＴＥシステムの場合、端末は前述したＣＱＩ／ＰＭＩ／ＲＩなどの制御情報をＰＵＳＣＨ及び／又はＰＵＣＣＨを介して送信することができる。
【００３３】
図４はＬＴＥシステムで使われる無線フレームの構造を例示する図である。
【００３４】
図４を参照すると、無線フレーム（ｒａｄｉｏ ｆｒａｍｅ）は１０ｍｓ（３２７２００×Ｔｓ）の長さを有し、１０個の均等な大きさのサブフレーム（ｓｕｂｆｒａｍｅ）で構成されている。それぞれのサブフレームは１ｍｓの長さを有し、２個のスロット（ｓｌｏｔ）で構成されている。それぞれのスロットは０．５ｍｓ（１５３６０×Ｔｓ）の長さを有する。ここで、Ｔｓはサンプリング時間を示し、Ｔｓ＝１／（１５ｋＨｚ×２０４８）＝３．２５５２×１０-8（約３３ｎｓ）で表示される。スロットは時間領域で複数のＯＦＤＭシンボルを含み、周波数領域で複数のリソースブロック（Ｒｅｓｏｕｒｃｅ Ｂｌｏｃｋ；ＲＢ）を含む。ＬＴＥシステムにおいて、一つのリソースブロックは１２個の副搬送波×７（６）個のＯＦＤＭシンボルを含む。データが送信される単位時間であるＴＴＩ（Ｔｒａｎｓｍｉｓｓｉｏｎ Ｔｉｍｅ Ｉｎｔｅｒｖａｌ）は一つ以上のサブフレーム単位に決定されることができる。前述した無線フレームの構造は例示に過ぎなく、無線フレームに含まれるサブフレームの数又はサブフレームに含まれるスロットの数、スロットに含まれるＯＦＤＭシンボルの数は多様に変更可能である。
【００３５】
図５は下りリンク無線フレームにおいて一つのサブフレームの制御領域に含まれる制御チャネルを例示する図である。
【００３６】
図５を参照すると、サブフレームは１４個のＯＦＤＭシンボルで構成されている。サブフレーム設定によって最初の１〜３個のＯＦＤＭシンボルは制御領域として使われ、残りの１３〜１１個のＯＦＤＭシンボルはデータ領域として使われる。図面で、Ｒ１〜Ｒ４はアンテナ０〜３に対する参照信号（Ｒｅｆｅｒｅｎｃｅ Ｓｉｇｎａｌ（ＲＳ）又はＰｉｌｏｔ Ｓｉｇｎａｌ）を示す。ＲＳは制御領域及びデータ領域にかかわらず、サブフレーム内に一定のパターンで固定される。制御チャネルは制御領域の中でＲＳが割り当てられないリソースに割り当てられ、トラフィックチャネルもデータ領域の中でＲＳが割り当てられないリソースに割り当てられる。制御領域に割り当てられる制御チャネルとしては、ＰＣＦＩＣＨ（Ｐｈｙｓｉｃａｌ Ｃｏｎｔｒｏｌ Ｆｏｒｍａｔ Ｉｎｄｉｃａｔｏｒ ＣＨａｎｎｅｌ）、ＰＨＩＣＨ（Ｐｈｙｓｉｃａｌ Ｈｙｂｒｉｄ−ＡＲＱ Ｉｎｄｉｃａｔｏｒ ＣＨａｎｎｅｌ）、ＰＤＣＣＨ（Ｐｈｙｓｉｃａｌ Ｄｏｗｎｌｉｎｋ Ｃｏｎｔｒｏｌ Ｃｈａｎｎｅｌ）などがある。
【００３７】
ＰＣＦＩＣＨは物理制御フォーマット指示子チャネルであって、サブフレームごとにＰＤＣＣＨに使われるＯＦＤＭシンボルの個数を端末に知らせる。ＰＣＦＩＣＨは一番目ＯＦＤＭシンボルに位置し、ＰＨＩＣＨ及びＰＤＣＣＨに優先して設定される。ＰＣＦＩＣＨは４個のＲＥＧ（Ｒｅｓｏｕｒｃｅ Ｅｌｅｍｅｎｔ Ｇｒｏｕｐ）で構成され、それぞれのＲＥＧはセルＩＤ（Ｃｅｌｌ ＩＤｅｎｔｉｔｙ）に基づいて制御領域内に分散される。一つのＲＥＧは４個のＲＥ（Ｒｅｓｏｕｒｃｅ Ｅｌｅｍｅｎｔ）で構成される。ＲＥは一つの副搬送波×一つのＯＦＤＭシンボルに定義される最小物理リソースを示す。ＰＣＦＩＣＨ値は帯域幅によって１〜３又は２〜４の値を指示し、ＱＰＳＫ（Ｑｕａｄｒａｔｕｒｅ Ｐｈａｓｅ Ｓｈｉｆｔ Ｋｅｙｉｎｇ）で変調される。
【００３８】
ＰＨＩＣＨは物理ＨＡＲＱ（Ｈｙｂｒｉｄ−Ａｕｔｏｍａｔｉｃ Ｒｅｐｅａｔ ａｎｄ ｒｅｑｕｅｓｔ）指示子チャネルであって、上りリンク伝送に対するＨＡＲＱ ＡＣＫ／ＮＡＣＫを運ぶのに使われる。すなわち、ＰＨＩＣＨはＵＬ ＨＡＲＱのためのＤＬＡＣＫ／ＮＡＣＫ情報が送信されるチャネルを示す。ＰＨＩＣＨは１個のＲＥＧで構成され、セル固有（ｃｅｌｌ−ｓｐｅｃｉｆｉｃ）にスクランブル（ｓｃｒａｍｂｌｉｎｇ）される。ＡＣＫ／ＮＡＣＫは１ビットで指示され、ＢＰＳＫ（Ｂｉｎａｒｙ ｐｈａｓｅ ｓｈｉｆｔ ｋｅｙｉｎｇ）で変調される。変調されたＡＣＫ／ＮＡＣＫは拡散率（Ｓｐｒｅａｄｉｎｇ Ｆａｃｔｏｒ；ＳＦ、拡散因子）＝２又は４で拡散される。同じリソースにマッピングされる複数のＰＨＩＣＨはＰＨＩＣＨグループを構成する。ＰＨＩＣＨグループに多重化されるＰＨＩＣＨの個数は拡散コードの数によって決定される。ＰＨＩＣＨ（グループ）は周波数領域及び／又は時間領域でダイバーシティ利得を得るために３回繰り返される（ｒｅｐｅｔｉｔｉｏｎ）。
【００３９】
ＰＤＣＣＨは物理下りリンク制御チャネルであって、サブフレームの最初ｎ個のＯＦＤＭシンボルに割り当てられる。ここで、ｎは１以上の整数で、ＰＣＦＩＣＨによって指示される。ＰＤＣＣＨは一つ以上のＣＣＥで構成される。ＰＤＣＣＨは伝送チャネルであるＰＣＨ（Ｐａｇｉｎｇ Ｃｈａｎｎｅｌ）及びＤＬ−ＳＣＨ（Ｄｏｗｎｌｉｎｋ−Ｓｈａｒｅｄ Ｃｈａｎｎｅｌ）のリソース割当てについての情報、上りリンクスケジューリンググラント（Ｕｐｌｉｎｋ Ｓｃｈｅｄｕｌｉｎｇ Ｇｒａｎｔ）、ＨＡＲＱ情報などを各端末又は端末グループに知らせる。ＰＣＨ（Ｐａｇｉｎｇ Ｃｈａｎｎｅｌ）及びＤＬ−ＳＣＨ（Ｄｏｗｎｌｉｎｋ−Ｓｈａｒｅｄ Ｃｈａｎｎｅｌ）はＰＤＳＣＨを介して送信される。よって、基地局と端末は一般的に特定の制御情報又は特定のサービスデータを除き、ＰＤＳＣＨを介してデータをそれぞれ送信及び受信する。
【００４０】
ＰＤＳＣＨのデータがどの端末（一つ又は複数の端末）に送信されるか、前記端末がどのようにＰＤＳＣＨデータを受信してデコード（ｄｅｃｏｄｉｎｇ）すべきかについての情報などはＰＤＣＣＨに含まれて送信される。例えば、特定のＰＤＣＣＨが“Ａ”というＲＮＴＩ（Ｒａｄｉｏ Ｎｅｔｗｏｒｋ Ｔｅｍｐｏｒａｒｙ Ｉｄｅｎｔｉｔｙ）でＣＲＣマスキング（ｍａｓｋｉｎｇ）されており、“Ｂ”という無線リソース（例えば、周波数位置）及び“Ｃ”というＤＣＩフォーマット、つまり伝送形式情報（例えば、伝送ブロックサイズ、変調方式、コーディング情報など）を用いて送信されるデータについての情報が特定のサブフレームを介して送信されると仮定する。この場合、セル内の端末は自分が持っているＲＮＴＩ情報を用いて検索領域でＰＤＣＣＨをモニタリング、つまりブラインドデコーディングし、“Ａ”ＲＮＴＩを持っている一つ以上の端末があれば、前記端末はＰＤＣＣＨを受信し、受信したＰＤＣＣＨの情報を介して“Ｂ”と“Ｃ”によって指示されるＰＤＳＣＨを受信する。
【００４１】
図６はＬＴＥシステムで使われる上りリンクサブフレームの構造を示す図である。
【００４２】
図６を参照すると、上りリンクサブフレームは制御情報を運ぶＰＵＣＣＨ（Ｐｈｙｓｉｃａｌ Ｕｐｌｉｎｋ Ｃｏｎｔｒｏｌ Ｃｈａｎｎｅｌ）が割り当てられる領域とユーザーデータを運ぶＰＵＳＣＨ（Ｐｈｙｓｉｃａｌ Ｕｐｌｉｎｋ Ｓｈａｒｅｄ Ｃｈａｎｎｅｌ）が割り当てられる領域に分けることができる。サブフレームの中間部分がＰＵＳＣＨに割り当てられ、周波数領域でデータ領域の両側部分がＰＵＣＣＨに割り当てられる。ＰＵＣＣＨ上に送信される制御情報はＨＡＲＱに使われるＡＣＫ／ＮＡＣＫ、下りリンクチャネル状態を示すＣＱＩ（Ｃｈａｎｎｅｌ Ｑｕａｌｉｔｙ Ｉｎｄｉｃａｔｏｒ）、ＭＩＭＯのためのＲＩ（Ｒａｎｋ Ｉｎｄｉｃａｔｏｒ）、上りリンクリソース割当て要求であるＳＲ（Ｓｃｈｅｄｕｌｉｎｇ Ｒｅｑｕｅｓｔ）などがある。一端末に対するＰＵＣＣＨはサブフレーム内の各スロットで相異なる周波数を占める一つのリソースブロックを使う。すなわち、ＰＵＣＣＨに割り当てられる２個のリソースブロックはスロット境界で周波数ホッピング（ｆｒｅｑｕｅｎｃｙ ｈｏｐｐｉｎｇ）される。特に、図６はｍ＝０のＰＵＣＣＨ、ｍ＝１のＰＵＣＣＨ、ｍ＝２のＰＵＣＣＨ、ｍ＝３のＰＵＣＣＨがサブフレームに割り当てられるものを例示する。
【００４３】
以下、ＬＴＥシステム及びＬＴＥ−Ａシステムにおけるタイミングアドバンス（Ｔｉｍｉｎｇ Ａｄｖａｎｃｅ；ＴＡ）手続について説明する。
【００４４】
ＬＴＥシステムでは、互いに異なる端末から受信される上りリンク直交性を維持するため、基地局（ｅＮＢ）を基準として上りリンク及び下りリンク通信が時間軸に調整されている。このような上りリンク信号の時間軸調整はセル内の上りリンク端末間の干渉を避けることができる最も基本的な方法である。
【００４５】
上りリンク伝送の時間軸調整を直接実現するために適用する方法が端末送信のタイミングアドバンス（ＴＡ）である。この際、端末は下りリンク受信タイミングに基づいてタイミングアドバンス基準値を設定することになり、結局各端末のＴＡはそれぞれの端末に対応する伝搬遅延（ｐｒｏｐａｇａｔｉｏｎ ｄｅｌａｙ）に基づいて決定されるものである。
【００４６】
図７及び図８はタイミングアドバンスを適用した上りリンク伝送の時間軸調整の例を示す。特に、図７及び図８では、ＵＥ１は相対的に基地局に近くにあって伝搬遅延（ｐｒｏｐａｇａｔｉｏｎ ｄｅｌａｙ、ＴＰ１）が短く、ＵＥ２は基地局から遠くあって相対的に伝搬遅延（ＴＰ２）が長い（ＴＰ１＜ＴＰ２）と仮定する。
【００４７】
図７ではタイミングアドバンスを適用しなかったため、基地局では上りリンク伝送に対して時間軸調整されていないことが分かる。しかし、図８ではＵＥ１及びＵＥ２のそれぞれがタイミングアドバンスを適用して上りリンク伝送を行ったため、基地局の立場では各上りリンク信号が時間軸調整されたことが分かる。
【００４８】
図８に示したように、伝搬遅延の値は端末で受信した下りリンクタイミングとなり、タイミングアドバンスを行うために前記伝搬遅延をＲＴＤ（ｒｏｕｎｄ ｔｒｉｐ−ｄｅｌａｙ）に換算して適用し、その値は結局伝搬遅延値の２倍となる。したがって、基地局から遠く離れて伝搬遅延が大きい端末であるほど、ｅＮＢでの時間軸調整のために相対的に先に上りリンク伝送を行わなければならない。
【００４９】
前記タイミングアドバンス過程は、下記のように、初期タイミングアドバンス過程と、タイミングアドバンス更新過程とからなり、それぞれに対してより詳細に説明する。
【００５０】
１）初期タイミングアドバンス過程
【００５１】
ＬＴＥシステムでは、端末がｅＮＢから下りリンク伝送に対する最初受信機同期化を行い、ランダムアクセス過程（Ｒａｎｄｏｍ Ａｃｃｅｓｓ Ｐｒｏｃｅｄｕｒｅ）を用いてタイミングアドバンスを行う。すなわち、端末が送信するランダムアクセスプリアンブル（ｒａｎｄｏｍ ａｃｃｅｓｓ ｐｒｅａｍｂｌｅ）を介してｅＮＢは上りリンクタイミングを測定し、これに相応する１１ビットサイズの初期（ｉｎｉｔｉａｌ）タイミングアドバンス命令をランダムアクセス応答メッセージに含ませて伝達する。
【００５２】
２）タイミングアドバンス更新過程
【００５３】
図９はタイミングアドバンスの更新過程を例示する図である。
【００５４】
タイミングアドバンス更新過程を行うとき、ｅＮＢは有用なすべての上りリンク参照信号（Ｕｐｌｉｎｋ Ｒｅｆｅｒｅｎｃｅ Ｓｉｇｎａｌ；ＵＬ−ＲＳ）を用いることができる。すなわち、ＳＲＳ（Ｓｏｕｎｄｉｎｇ Ｒｅｆｅｒｅｎｃｅ Ｓｉｇｎａｌ）、ＣＱＩ（Ｃｈａｎｎｅｌ Ｑｕａｌｉｔｙ Ｉｎｄｉｃａｔｏｒ）、ＡＣＫ／ＮＡＣＫなどが皆含まれることができる。一般には、広帯域（ｗｉｄｅ−ｂａｎｄ）に対応する上りリンク参照信号を用いるほどタイミング推定正確度が高くなってＳＲＳが利点となることができるが、セルの境界に位置する端末は送信電力の制限で制約があり得る。
【００５５】
図１０は端末間の直接通信の概念図である。
【００５６】
図１０を参照すると、ＵＥが他のＵＥと直接無線通信を行うＤ２Ｄ（ｄｅｖｉｃｅ−ｔｏ−ｄｅｖｉｃｅ）通信、つまり端末間の直接通信では、ｅＮＢがＤ２Ｄ送受信を指示するためのスケジューリングメッセージを送信することができる。Ｄ２Ｄ通信に参加するＵＥはｅＮＢからＤ２Ｄスケジューリングメッセージを受信し、Ｄ２Ｄスケジューリングメッセージが指示する送受信動作を行う。ここで、ＵＥはユーザーの端末を意味するが、ｅＮＢのようなネットワークエンティティーがＵＥ間の通信方式によって信号を送受信する場合にはやはり一種のＵＥと見なされることができる。以下では、ＵＥの間に直接接続されたリンクをＤ２Ｄリンクと、ＵＥがｅＮＢと通信するリンクをＮＵリンクと言う。
【００５７】
一方、Ｄ２Ｄ信号は上りリンクリソースを用いて送受信されることが好ましい。これは、ＵＥの送信リソースを上りリンクリソースとして維持することによって干渉問題を緩和するなどの有利な点があるからである。この際、ＵＥが送信するＤ２Ｄ信号は２種に大別することができる。一つは既存のタイミングアドバンスをそのまま適用する信号で、主にｅＮＢの直接指示によって送信リソースが決定される信号であり、他の一つは既存のタイミングアドバンスを使わず、例えば固定された特定の値のＴＡを用いて伝送される信号である。特に、後者の場合、主にｅＮＢの直接指示ではないＵＥの自律的な判断によって送信リソースが決定される信号、あるいはｅＮＢの直接指示が適用されてもそうではない信号との円滑な多重化のためにタイミングアドバンスを使わない信号に相当する。
【００５８】
Ｄ２Ｄ信号がタイミングアドバンスを使う場合には、既存の上りリンク信号と同一のサブフレーム境界を有するので、既存の上りリンク信号との重畳が発生しない。一方、Ｄ２Ｄ信号がタイミングアドバンスを使わない場合には、既存の上りリンク信号とサブフレーム境界が違って、ある時点ではＤ２Ｄ信号送信と上りリンク信号送信が重畳する場合が発生することができる。図面を参照して説明する。
【００５９】
図１１はＤ２Ｄ信号がタイミングアドバンスを使わない場合の問題点を例示する図である。
【００６０】
図１１を参照すると、サブフレーム＃ｎにおいてＴＡ＝０でＤ２Ｄ信号を送信する場合、ＴＡ＞０が適用されたサブフレーム＃（ｎ＋１）における上りリンク信号と重畳が発生することが分かる。この場合、サブフレーム＃（ｎ＋１）における上りリンク信号送信を保証するために、サブフレーム＃ｎの最後のシンボルは間隙（ｇａｐ）に設定されてＤ２Ｄ送信が行われないように動作することができる。
【００６１】
一方、タイミングアドバンスを適用してＤ２Ｄ信号を送信するＵＥは、自分が移動するにつれてｅＮＢとの距離が変わり、それによってＴＡ値を更新していつも適切なＴＡ値をＤ２Ｄ信号送信に適用することができなければならない。一般に、ＵＥは一度受信したＴＡＣ（ＴＡ Ｃｏｍｍａｎｄ）によって設定されたＴＡ値が一定の時間（例えば、ＴＡＴ（ｔｉｍｅＡｌｉｇｎｍｅｎｔＴｉｍｅｒ）の駆動時間）の間は安定的であると見なす。一方、その一定の時間が経過した後にはＴＡが不安定であると見なし、該当のＴＡ値を適用する伝送は行うことができないように定義されている。
【００６２】
ＵＥがｅＮＢに上りリンク信号を送信する場合には、ｅＮＢがこの上りリンク信号を受信しながら、該当の上りリンク信号がｅＮＢが規定した上りリンクサブフレーム境界に整合（ａｌｉｇｎ）するかを判断する。仮に、整合しない場合であれば、適切なＴＡＣをＵＥに知らせる。前記ＴＡが安定的であると見なすことができる時間の長さはｅＮＢも知っている値であるので、該当の時間が経過する前にｅＮＢはＵＥが上りリンク信号を送信するようにスケジューリングを行い、受信した上りリンク信号に基づいて適切なＴＡ値を更新して、安定的なＴＡ値が持続的に維持されるように動作することができる。
【００６３】
しかし、ＵＥが送信するＤ２Ｄ信号はその受信対象が他のＵＥで、ｅＮＢではないから、ｅＮＢがＴＡを更新するためにこれを受信することは基本的に不必要な動作である。仮に、ｅＮＢが一体のＤ２Ｄ信号は受信しないように動作すれば、ｅＮＢに直接送信すべき上りリンク信号がないＵＥの場合には、ＴＡを適用するＤ２Ｄ信号をＤ２Ｄリンクを介して続けて送信しようとするが、結局ＴＡが安定的であると見なすことができる時間が経過するまでｅＮＢから新たなＴＡＣを受信することができなくなる。結果的に、ＵＥは不安定なＴＡを有することになってＤ２Ｄ信号も送信することができなくなる。
【００６４】
したがって、ＵＥはＲＡＣＨ過程を駆動して新たなＴＡをｅＮＢから獲得してさらにＤ２Ｄ送信を再開することができるが、ＲＡＣＨ過程の駆動が終わるまではＤ２Ｄ信号送信を中断しなければならない問題があり、ＵＥが緊急にＤ２Ｄを用いて信号を送信しなければならない場合にはＲＡＣＨ過程による時間遅延が問題を引き起こすことができる。
【００６５】
以下では、ＵＥがタイミングアドバンスを適用するＤ２Ｄ信号を持続的に送信する状況でｅＮＢに直接送信する信号が存在しない場合にもタイミングアドバンスを適切に更新することができる本発明の実施例を説明する。
【００６６】
方法１）
【００６７】
まず、ｅＮＢは現在ＵＥが使っているＴＡ値が不安定になる前に、直接該当のＵＥのＤ２Ｄ信号の受信を試み、これに基づいてＴＡ値を更新する新たなＴＡＣを送信することができる。この方法１）は該当のＵＥが持続的にＤ２Ｄを送信する場合には効果的であるが、そうではない場合には適用しにくいという欠点がある。
【００６８】
方法２）
【００６９】
ＵＥは使用中のＴＡ値不安定になる以前に、特定の上りリンク信号をｅＮＢに自ら送信するように規定されることができる。このような特定の上りリンク信号によってはＲＡＣＨ過程を始めるＰＲＡＣＨプリアンブルを例示することができる。仮に、該当のＵＥが専用に（ｄｅｄｉｃａｔｅｄ）割り当てられたＳＲ（Ｓｃｈｅｄｕｌｉｎｇ Ｒｅｑｕｅｓｔ）リソースを受けたとすると、このＳＲ信号を送信することによってｅＮＢにとって現在のＴＡ値に対する安全性を判断するようにし、必要なＴＡ更新を行うようにトリガーすることができる。もちろん、現在のＴＡ値に対する安全性に問題がなければ、ＴＡＴを延ばすことも可能である。
【００７０】
前記方法２）は、該当のＵＥがＤ２Ｄを送信するトラフィックが存在しない場合にもｅＮＢとの上りリンク同期を維持することによって即刻の信号送信ができるようにするという利点がある。結局、方法２）は端末がＴＡ値がすぐ不安定になることをネットワークに報告することに解釈されることができる。この際、ＴＡ値が不安定になる前に送信する上りリンク信号に対し、ｅＮＢは必要なＴＡ更新のみ行えばよいので、実際に上りリンクトラフィックが発生してリソースを要求する上りリンク信号とは区分されることができる。このために、ｅＮＢは上りリンクリソース要求などの用途に活用するＰＲＡＣＨプリアンブルやＳＲリソース以外に別個のＰＲＡＣＨプリアンブルやＳＲリソースをＵＥに割り当て、ＴＡ値が不安定になる前にＰＲＡＣＨプリアンブルやＳＲを送信するために使うようにすることができる。
【００７１】
前述した方法２）の場合、Ｄ２Ｄ送信を行う端末のみ適用するようにすることが可能である。ここで、Ｄ２Ｄ送信とはタイミングアドバンスを適用するＤ２Ｄ信号送信が含まれる場合に限定されることができ、必要なすべてのＤ２Ｄ送信がタイミングアドバンスを適用しないＤ２Ｄ動作は除かれることもできる。例えば、端末がｅＮＢにＤ２Ｄ送信に対する関心を知らせた場合に限り、前記方法２）を端末が自ら適用することが可能である。
【００７２】
しかし、前述した方法２）をＤ２Ｄを動作しないＵＥに適用することも可能である。具体的に、特定のＵＥが非常に緊急な信号をｅＮＢに送信するかあるいはｅＮＢから受信しなければならなければ、同様に持続的に安定的なＴＡを維持しなければならない。これは、ｅＮＢに信号を受信するためには当然安定的なＴＡが必要であり、ｅＮＢから信号を受信する場合にもこれに対するＨＡＲＱ−ＡＣＫをｅＮＢに送信しなければならないため、これも安定的なＴＡが必要であるからである。
【００７３】
前述した緊急通信が必要なＵＥに対しては前述した方法２）を適用することは好ましいが、そうではない一般的なＵＥの観点で、方法２）は不必要に信号を送信してバッテリーを消費する過程に過ぎない。したがって、大容量のバッテリーを装着したＵＥや車両などの機器に取り付けられて電力消費の問題がほとんどない状況で迅速な通信を行わなければならないＵＥの場合は方法２）の適用が効果的であるかもしれない。よって、ｅＮＢは、方法２）を適用することが好ましいＵＥであるかを区分することができなければならなく、このために、各ＵＥは自分が緊急にｅＮＢにそして／あるいはＤ２Ｄに信号を送信する動作を行わなければならないＵＥであるか及び／又は方法１）又は方法２）のような動作が必要なＵＥであるかをｅＮＢに知らせることができる。このようなお知らせ動作はＵＥが自分の性能（ｃａｐａｂｉｌｉｔｙ）をシグナリングする過程で行われることができる。
【００７４】
前記お知らせを受信したｅＮＢは、例えば自動車間の通信のように緊急な通信を行おうとするＵＥは方法２）を適用するように設定することができる。特に、このようなお知らせ動作はＵＥが自分の電力関連状況を知らせる方式でも行われることができる。例えば、自動車に設置されたＵＥのようにバッテリーに蓄電された電力が十分なＵＥは、これをｅＮＢに知らせることで、電力消費に対する問題なしで方法２）を適用して迅速な信号送受信動作を行うようにすることができる。もちろん、後にｅＮＢは端末が前記方法２）を適用することができないように設定することも可能である。
【００７５】
一方、前述した方法２）による動作において、ＵＥに対して過度にＳＲやＰＲＡＣＨプリアンブルを送信すれば、これはネットワークに不必要な干渉として作用することができる。したがって、ＵＥがたとえＴＡを安定的に維持しようと言っても、必要な信号伝送の頻度数を適切に調節することができなければならない。信号伝送の頻度数調節のための一方法として、ＴＡの安全性有無を判別するタイマーであるＴＡＴと類似した方法を用いることができる。
【００７６】
具体的に、ＵＥは所定のタイマーを駆動し、このタイマーが満了すれば、ＳＲやＰＲＡＣＨプリアンブルを送信して、ｅＮＢにとってＴＡＣを送信することができるようにする。このタイマーはＳＲあるいはＰＲＡＣＨプリアンブルが送信されれば再開され、新たなＴＡＣを受信したときにも再開されることができる。その以外の任意の上りリンク信号あるいははなはだしくはＴＡを適用するＤ２Ｄ信号が送信されたときにも再開されることができる。ただ、任意の上りリンク信号あるいははなはだしくはＴＡを適用するＤ２Ｄ信号に基づいてｅＮＢがＴＡを更新することができるという仮定が必要である。このタイマーはＴＡの安全性を規定するタイマーであるＴＡＴとは別個のものであってもよく、一般的にはＴＡＴより小さな値を有することになる。
【００７７】
本発明のタイマーが満了してＵＥが上りリンク信号を送信してもｅＮＢが新たなＴＡＣを送信しないとすると、ＴＡの安全性を規定するタイマーであるＴＡＴが満了すれば、ＵＥはＴＡを不安定なものと見なすことになる場合が発生することができる。よって、ＴＡＴが満了する前、一定の時間内にのみ（つまり、ＴＡＴが一定値以上でありながら満了値に到逹する前に相当する時間の間にのみ）端末が前記方法２）を使うことができ、ＴＡＴが満了するときの一定時間の前には（つまり、ＴＡＴが一定値以下の時間の間には）端末が前記方法２）を使うことができないようにする案も考慮することができる。この場合、端末が前記方法２）を用いてｅＮＢにＴＡ値がすぐ不安定になることを報告する回数をＮ回以下に制限することができる。
【００７８】
一方、タイミングアドバンスを適用してＤ２Ｄデータ信号を送信する場合、受信ＵＥは該当の送信ＵＥが使うＴＡ値を知る必要がある。よって、受信ＵＥは送信ＵＥのタイミング基準（ｔｉｍｉｎｇ ｒｅｆｅｒｅｎｃｅ）に相応する信号を検出し、その時点を受信時点の基準に設定することができる。送信ＵＥのタイミング基準に相応する信号は送信ＵＥが同期を取っているセルの同期信号（ｓｙｎｃｈｒｏｎｉｚａｔｉｏｎ ｓｉｇｎａｌ）であってもよく、送信ＵＥが直接送信するＤ２Ｄのための同期信号であってもよい。
【００７９】
送信ＵＥはこのタイミング基準によって自分のタイミングアドバンスを適用した時点でＤ２Ｄデータ信号を送信することになり、このためにＤ２Ｄの一部信号、特に各種制御情報を送信する信号（以下、ＳＡ（ｓｃｈｅｄｕｌｉｎｇ ａｓｓｉｇｎｍｅｎｔ）という）はＴＡを適用せずに送信することができる。すなわち、受信ＵＥは、まずＴＡが適用されていないＳＡを受信し、その中にあるＴＡ値に基づいてそれから送信されるデータ信号の時間位置を把握する。この際、ＳＡはＴＡ値ではなくそれからのＤ２Ｄデータが使う時間及び周波数リソースの位置を知らせる役目もする。一般に、制御信号のオーバーヘッドを減らすために、ＳＡはＤ２Ｄデータに比べて相対的に低い頻度で送信することになる。すなわち、一回のＳＡ伝送が多数回のＤ２Ｄデータ伝送に対する制御情報を伝達するものであり、言い換えれば、これは一つのＳＡに含まれたＴＡが複数のＤ２Ｄデータ伝送に適用されることを意味することができる。
【００８０】
このようなＳＡとＤ２Ｄデータの構造の下で送信ＵＥがｅＮＢから新たなＴＡＣを受信してＴＡ値を更新する場合、どの時点にＤ２Ｄデータに対するＴＡを更新するかを決定しなければならない。特に、ＳＡを一度送信し、次にＳＡを送信する前に新たなＴＡＣを受信する場合、ＴＡ更新時点が問題となることができる。これは、受信ＵＥが次回のＳＡを受信する前に送信ＵＥの更新されたＴＡ値を把握する方法がないからである。このような状況で送信ＵＥの動作方法を下記に具体的に説明する。以下でＴＡをすぐ更新するとは、ＴＡＣを受信し、これに対するプロセッシングを行う一定時間が経過した直後に直ちに更新されたＴＡを適用して伝送を行うことを意味する。
【００８１】
方法Ａ）すべてのタイミングアドバンスの更新を次回のＳＡ送信時点に延ばす方法
【００８２】
方法Ａ）の場合には、たとえ特定の時点で新たなＴＡＣを受信したと言っても、直ちにこれを適用するものではなく、少なくとも次回のＳＡ送信時点まではＴＡの更新を延ばす。あるいは、次回のＳＡ送信時点前の最後のＤ２Ｄデータ送信が終わってから初めてＴＡを更新するように動作することもできる。ここで、最後のＤ２Ｄデータ送信とは既存のＳＡを介して指示したＤ２Ｄデータ送信リソースの最後を意味することもできるが、たとえＳＡを介して指示した最後のリソースの以前時点であると言っても、それ以上残っているＤ２Ｄデータトラフィックがないか至急ではないトラフィックのみが残っている場合には、Ｄ２Ｄデータ送信の最後と見なすことも可能である。
【００８３】
方法Ａ）において、ＴＡの更新はＤ２Ｄデータに適用されるＴＡだけでなくｅＮＢに送信する一般的な上りリンク信号に適用されるＴＡを含むことができる。また、一旦ＳＡ送信に含まれたＴＡは該当のＳＡが適用される全てのＤ２Ｄデータの送信に持続的に適用され、受信ＵＥが一定の受信タイミングを維持することが可能であるとともに、Ｄ２Ｄデータと上りリンク信号が同じＴＡを適用するから、サブフレームの重畳問題が存在しない。
【００８４】
方法Ｂ）Ｄ２ＤデータのためのＴＡは更新を延ばすが、ｅＮＢへの上りリンク信号のためのＴＡはすぐ更新する方法
【００８５】
方法Ｂ）の場合、ｅＮＢへの上りリンク信号は、既存の動作と同様に、直ちに更新されたＴＡを適用するが、Ｄ２Ｄデータの場合は、受信ＵＥが持続的に一定の受信タイミングを維持するようにするために、方法Ａ）のように更新されたＴＡの適用を延ばす。この方法Ｂ）は、ｅＮＢへの上りリンク信号は最新のＴＡに直ちに更新する一方、Ｄ２Ｄデータの場合には、既にＳＡを介して送信したＴＡを受信ＵＥが仮定する限りＴＡを更新しないので、ｅＮＢとＤ２Ｄ受信ＵＥの両方に最適のＴＡ更新を提供するという利点がある。ただ、Ｄ２ＤデータとｅＮＢへの上りリンク信号が一時相異なっているＴＡを適用されることができ、これにより図１１で説明したサブフレーム重畳のような問題が発生することができる。
【００８６】
ただ、このような問題は二つの信号に適用するＴＡの差が一定程度以下であれば、Ｄ２Ｄサブフレームの最後に位置する間隙（ｇａｐ）を介して送信ＵＥが自ら解決することができる。一例として、Ｄ２Ｄデータに適用する既存のＴＡとｅＮＢへの上りリンク信号に適用する新たなＴＡ値であるＸがａ≦Ｘ≦ｂの条件を満たしていれば、ＵＥは各信号に対して別個のＴＡを適用する。一方、新たなＴＡ値であるＸがａ≦Ｘ≦ｂの条件を満たしていない場合には、二つのうちの一つ、好ましくはＤ２Ｄ信号の送信を中断することにより、そのほかのＵＥが送信するＤ２Ｄデータ信号又はｅＮＢへの上りリンク信号との不整合で干渉問題を前もって防止することができる。ここで、ａとｂはそれぞれ一つのＵＥが同時に処理することができる二つのＴＡ値間の差に対する下限と上限を示す。極端な場合にａとｂがいずれも０に設定されれば、これは二つのＴＡ値が一致する場合にのみＤ２Ｄ信号とｅＮＢへの上りリンク信号を送信することができることを意味する。
【００８７】
方法Ｃ）Ｄ２ＤデータとｅＮＢへの上りリンク信号のためのＴＡを全て直ちに更新する方法
【００８８】
方法Ｃ）によると、Ｄ２Ｄデータと上りリンク信号はいつも同じＴＡを用いるので、サブフレーム境界が一致することになる。ただ、ＴＡが余りに大きく変化すれば、受信ＵＥが既存のＴＡに基づいて動作するのに問題が発生し得る。したがって、前記方式Ｂ）のように、既にＳＡに送信しておいたＴＡ値と新たに更新されたＴＡ値の差Ｘがａ≦Ｘ≦ｂの条件を満たす場合にだけ、Ｄ２ＤデータとｅＮＢへの上りリンク信号を送信するように動作することも可能である。
【００８９】
前述した方法Ｂ）及び方法Ｃ）において、ＵＥが処理することができるＤ２Ｄデータ適用ＴＡとｅＮＢへの上りリンク信号適用ＴＡの間の差に限界があれば、ｅＮＢがその限界を超えないようにＴＡＣを送信することも可能である。
【００９０】
ｅＮＢがＴＡＣを送信する方法の例としては、１１ビットのＴＡ絶対値をＲＡＲ（ｒａｎｄｏｍ ａｃｃｅｓｓ ｒｅｓｐｏｎｓｅ）を介して伝達する方法と、ＭＡＣヘッダーの６ビットを用いて既存のＴＡ値に対する補正値を伝達する方法とがある。ただ、後者の方法はＴＡ更新に制約があるので、６ビットフィールドによるＴＡ変化をＵＥが収容することができれば、ＭＡＣヘッダーの６ビットを用いた方法でＴＡが更新される場合には、たとえ一時的にＤ２ＤデータとｅＮＢへの上りリンク信号に適用するＴＡが互いに異なると言っても、そのまま動作することができる。
【００９１】
一方、１１ビットのＴＡ絶対値をＲＡＲを介して伝達する場合には、ＴＡが完全に再設定されることができ、Ｄ２ＤデータとｅＮＢへの上りリンク信号に適用するＴＡが大きく変わることができるので、ＲＡ（ｒａｎｄｏｍ ａｃｃｅｓｓ）を介してＴＡが再設定される場合には、既存のＳＡで指示したリソース上のＤ２Ｄデータの送信を取り消すように動作することができる。よって、受信ＵＥにとって受信信号が既存のＳＡによるＴＡから大きく外れる場合に備えないようにすることができる。
【００９２】
もちろん、前述した方法はＤ２Ｄデータの送信にのみ適用されるものではなく、一部のディスカバリー信号がタイミングアドバンスを適用する場合には同様に活用されることができる。
【００９３】
前述したＴＡ更新及びＤ２Ｄへの適用に対する動作は送信ＵＥの観点で記述されたものである。一方、受信ＵＥの観点では、前述したように、一旦ＳＡを介してＴＡを受ければ、次のＳＡを受信するまで変更されたＴＡを把握することができない。したがって、受信ＵＥは一度ＳＡを介して受信したＴＡが次のＳＡ伝送時点までは維持されるという仮定の下でＤ２Ｄ信号の受信を試みる。このような仮定を許すことにより、受信ＵＥがＤ２Ｄサブフレームごとに送信ＵＥから到着するＤ２Ｄ信号の開始点を捜索しなければならない過程を省略することが可能となる。
【００９４】
前述した受信ＵＥの仮定は、特にＤ２Ｄリソースが相対的に長い周期で現れるディスカバリーの場合に効果的であるかも知れない。一例として、ディスカバリー信号のためのリソースプールが周期Ｘｍｓごとに現れ、一旦現れればＹｍｓの時間リソースを用いると仮定するとき、ディスカバリー信号のリソースオーバーヘッド減少のために、ＸはＹよりとても大きな値に設定されることができる。よって、送信ＵＥにＴＡ更新が必要な状況であると言っても、二つのディスカバリーリソースプール間の時点でのみＴＡ更新を試みるとすると、連続してＹｍｓの間に現れる一つのディスカバリーリソースプール内ではＴＡの更新が発生しなくなる。また、受信ＵＥは少なくとも一つのディスカバリーリソースプール内では、同一のＵＥが同一の送信時点を適用するという仮定の下で、Ｄ２Ｄ信号を受信することが可能となる。
【００９５】
図１２は本発明の実施例によってディスカバリーリソースプール内でタイミングアドバンスを制御する例を示す。特に、図１２の場合、送信ＵＥの観点では、一つのディスカバリーリソースプール内でＴＡが更新されるＴＡＣはｅＮＢが送信しないと（つまり、ディスカバリーリソースプールではない時点でのみＴＡが更新されるようにｅＮＢがＴＡＣを送信すると）仮定することが可能である。
【００９６】
一方、前述したように、ｅＮＢがＤ２Ｄ信号をＵＥに送信することも可能であり、この際、Ｄ２Ｄデータに適用すべきＴＡＣは０となることが明らかである。したがって、ｅＮＢが送信するＳＡでＴＡに相当するフィールドは前もって０のように特定の値に設定して、効果的にＳＡに適用されるチャネルコーディングレート（ｃｈａｎｎｅｌ ｃｏｄｉｎｇ ｒａｔｅ）を低くすることができる。
【００９７】
若しくは、ｅＮＢが送信するＳＡはＴＡ情報自体を省略してもっと少ない数のビットで構成されるようにすることができる。このために、受信ＵＥはどのＳＡがｅＮＢによって送信されたかを把握しなければならない。これは、ＳＡのＣＲＣをマスキングする値又はＳＡのＤＭ−ＲＳシーケンス及び／又はスクランブリング（ｓｃｒａｍｂｌｉｎｇ）シーケンスを生成するシード（ｓｅｅｄ）値を一般的なＵＥが送信するＳＡが使う値とは違って設定することによって区分することができる。あるいは、ｅＮＢが送信するＳＡはＵＥが送信するＳＡと時間及び／又は周波数から分離されたリソースを使って区分することもできる。
【００９８】
図１３は本発明の一実施例による通信装置のブロック構成図を例示する。
【００９９】
図１３を参照すると、通信装置１３００は、プロセッサ１３１０、メモリ１３２０、ＲＦモジュール１３３０、ディスプレイモジュール１３４０及びユーザーインターフェースモジュール１３５０を含む。
【０１００】
通信装置１３００は説明の便宜のために示したもので、一部のモジュールは省略することができる。また、通信装置１３００は、必要なモジュールをさらに含むことができる。また、通信装置１３００において、一部のモジュールはより細分化したモジュールに区分できる。プロセッサ１３１０は図面に基づいて例示した本発明の実施例による動作を行うように構成される。具体的に、プロセッサ１３１０の詳細な動作は図１〜図１２に記載した内容を参照することができる。
【０１０１】
メモリ１３２０はプロセッサ１３１０に接続され、オペレーティングシステム、アプリケーション、プログラムコード、データなどを記憶する。ＲＦモジュール１３３０はプロセッサ１３１０に接続され、基底帯域信号を無線信号に変換するか無線信号を基底帯域信号に変換する機能をする。このために、ＲＦモジュール１３３０は、アナログ変換、増幅、フィルタリング及び周波数アップコンバート（上向変換）又はこれらの逆過程を行う。ディスプレイモジュール１３４０はプロセッサ１３１０に接続され、多様な情報を表示する。ディスプレイモジュール１３４０はこれに制限されるものではないが、ＬＣＤ（Ｌｉｑｕｉｄ Ｃｒｙｓｔａｌ Ｄｉｓｐｌａｙ）、ＬＥＤ（Ｌｉｇｈｔ Ｅｍｉｔｔｉｎｇ Ｄｉｏｄｅ）、ＯＬＥＤ（Ｏｒｇａｎｉｃ Ｌｉｇｈｔ Ｅｍｉｔｔｉｎｇ Ｄｉｏｄｅ）のようなよく知られた要素を使うことができる。ユーザーインターフェースモジュール１３５０はプロセッサ１３１０に接続され、キーパッド、タッチスクリーンなどのよく知られたユーザーインターフェースの組合せでなることができる。
【０１０２】
以上に説明した実施例は本発明の構成要素及び特徴が所定形態に結合されたものである。それぞれの構成要素又は特徴は別に明示的に言及しない限り、選択的なものに考慮しなければならない。それぞれの構成要素又は特徴は他の構成要素や特徴と組み合わせられない形態に実施することができる。また、一部の構成要素及び／又は特徴を組み合わせて本発明の実施例を構成することも可能である。本発明の実施例で説明する動作の順序は変更可能である。ある実施例の一部の構成や特徴は他の実施例に含まれることができ、あるいは他の実施例の対応する構成又は特徴に取り替えられることができる。請求範囲で明示的な引用関係がない請求項を組み合わせて実施例を構成するか出願後の補正によって新たな請求項として含ませることができるのはいうまでもない。
【０１０３】
本文書で基地局によって行われると説明した特定の動作は、場合によっては、その上位ノード（ｕｐｐｅｒ ｎｏｄｅ）によって行われることができる。すなわち、基地局を含む複数のネットワークノード（ｎｅｔｗｏｒｋ ｎｏｄｅｓ）でなるネットワークで端末との通信のために行われる多様な動作は基地局又は基地局以外の他のネットワークノードによって行われることができるのは自明である。基地局は固定局（ｆｉｘｅｄ ｓｔａｔｉｏｎ）、Ｎｏｄｅ Ｂ、ｅＮｏｄｅ Ｂ（ｅＮＢ）、アクセスポイント（ａｃｃｅｓｓ ｐｏｉｎｔ）などの用語に取り替えられることができる。
【０１０４】
本発明による実施例は、多様な手段、例えば、ハードウェア、ファームウエア（ｆｉｒｍｗａｒｅ）、ソフトウェア又はそれらの組合せなどによって実装されることができる。ハードウェアによる実装の場合、本発明の一実施例は一つ又はそれ以上のＡＳＩＣｓ（ａｐｐｌｉｃａｔｉｏｎ ｓｐｅｃｉｆｉｃ ｉｎｔｅｇｒａｔｅｄ ｃｉｒｃｕｉｔｓ）、ＤＳＰｓ（ｄｉｇｉｔａｌ ｓｉｇｎａｌ ｐｒｏｃｅｓｓｏｒｓ）、ＤＳＰＤｓ（ｄｉｇｉｔａｌ ｓｉｇｎａｌ ｐｒｏｃｅｓｓｉｎｇ ｄｅｖｉｃｅｓ）、ＰＬＤｓ（ｐｒｏｇｒａｍｍａｂｌｅ ｌｏｇｉｃ ｄｅｖｉｃｅｓ）、ＦＰＧＡｓ（ｆｉｅｌｄ ｐｒｏｇｒａｍｍａｂｌｅ ｇａｔｅ ａｒｒａｙｓ）、プロセッサ、コントローラ、マイクロコントローラ、マイクロプロセッサなどによって実装されることができる。
【０１０５】
ファームウエアやソフトウェアによる実装の場合、本発明の一実施例は以上に説明した機能又は動作を行うモジュール、手順、関数などの形態に実装されることができる。ソフトウェアコードはメモリユニットに記憶され、プロセッサによって駆動されることができる。前記メモリユニットは前記プロセッサの内部又は外部に位置し、既に知られている多様な手段によって前記プロセッサとデータをやり取りすることができる。
【０１０６】
本発明は本発明の特徴を逸脱しない範囲内で他の特定の形態に具体化されることができるのは当業者に明らかである。したがって、前記詳細な説明はすべての面で制限的に解釈されてはいけなく、例示的なものに考慮されなければならない。本発明の範囲は添付の請求範囲の合理的解釈によって決定されなければならなく、本発明の等価的範囲内でのすべての変更は本発明の範囲に含まれる。
【産業上の利用可能性】
【０１０７】
前述したような無線通信システムにおいて端末間の直接通信のためのタイミングアドバンスを制御する方法及びこのための装置は３ＧＰＰ ＬＴＥシステムに適用される例を中心として説明したが、３ＧＰＰ ＬＴＥシステム以外にも多様な無線通信システムに適用することが可能である。
【図１】
2020022196.tif 000003
【図２】
2020022196.tif 000004
【図３】
2020022196.tif 000005
【図４】
2020022196.tif 000006
【図５】
2020022196.tif 000007
【図６】
2020022196.tif 000008
【図７】
2020022196.tif 000009
【図８】
2020022196.tif 000010
【図９】
2020022196.tif 000011
【図１０】
2020022196.tif 000012
【図１１】
2020022196.tif 000013
【図１２】
2020022196.tif 000014
【図１３】
2020022196.tif 000015
【手続補正書】
【提出日】令和1年10月25日(2019.10.25)
【手続補正１】
【補正対象書類名】特許請求の範囲
【補正対象項目名】全文
【補正方法】変更
【補正の内容】
【特許請求の範囲】
【請求項１】
無線通信システムにおいて第１端末がＤ２Ｄ（Device-to-Device）リンクによって信号を送信する方法であって、
基地局から受信した第１ＴＡ（timing advance）命令に基づいて取得された第１ＴＡ値に関連した情報を設定する段階と、
第１Ｄ２Ｄ制御チャネルによって、前記第１ＴＡ値に関連した前記情報を第２端末に送信する段階と、
前記第１ＴＡ値を第１Ｄ２Ｄデータチャネルに適用することによって、前記第１Ｄ２Ｄ制御チャネルに関連した前記第１Ｄ２Ｄデータチャネルを前記第２端末に送信する段階と、
前記第１ＴＡ値及び前記基地局から受信した第２ＴＡ命令に基づいて更新された第２ＴＡ値に関連した情報を設定する段階と、
第２Ｄ２Ｄ制御チャネルによって、前記第２ＴＡ値に関連した前記情報を前記第２端末に送信する段階と、
前記第２ＴＡ値を第２Ｄ２Ｄデータチャネルに適用することによって、前記第２Ｄ２Ｄ制御チャネルに関連した前記第２Ｄ２Ｄデータチャネルを前記第２端末に送信する段階と、を含み、
前記第１Ｄ２Ｄ制御チャネル及び前記第２Ｄ２Ｄ制御チャネルは、Ｄ２Ｄ通信のための制御情報を運搬し、
前記第１Ｄ２Ｄ制御チャネル及び前記第２Ｄ２Ｄ制御チャネルは、前記第１ＴＡ値及び前記第２ＴＡ値を適用することなく送信される、方法。
【請求項２】
前記更新された第２ＴＡ値を適用することによって、前記基地局に対する上りリンク信号は、送信される、請求項１に記載の方法。
【請求項３】
前記第１Ｄ２Ｄデータチャネルは、前記第２Ｄ２Ｄ制御チャネルが送信されるまで、前記第１ＴＡ値に基づいて送信される、請求項１に記載の方法。
【請求項４】
無線通信システムにおいてＤ２Ｄ（Device-to-Device）リンクによって通信を行う端末であって、
他の端末又は基地局に対して信号を送受信するように構成されるトランシーバと、
前記信号を処理するように構成されるプロセッサと、を含み、
前記プロセッサは、
前記基地局から受信した第１ＴＡ（timing advance）命令に基づいて取得された第１ＴＡ値に関連した情報を設定し、
第１Ｄ２Ｄ制御チャネルによって、前記第１ＴＡ値に関連した前記情報を送信するように前記トランシーバを制御し、
前記第１ＴＡ値を第１Ｄ２Ｄデータチャネルに適用することによって、前記第１Ｄ２Ｄ制御チャネルに関連した前記第１Ｄ２Ｄデータチャネルを送信するように前記トランシーバを制御し、
前記第１ＴＡ値及び前記基地局から受信した第２ＴＡ命令に基づいて更新された第２ＴＡ値に関連した情報を設定し、
第２Ｄ２Ｄ制御チャネルによって、前記第２ＴＡ値に関連した前記情報を送信するように前記トランシーバを制御し、
前記第２ＴＡ値を第２Ｄ２Ｄデータチャネルに適用することによって、前記第２Ｄ２Ｄ制御チャネルに関連した前記第２Ｄ２Ｄデータチャネルを送信するように前記トランシーバを制御する、ようにさらに構成され、
前記第１Ｄ２Ｄ制御チャネル及び前記第２Ｄ２Ｄ制御チャネルは、Ｄ２Ｄ通信のための制御情報を運搬し、
前記第１Ｄ２Ｄ制御チャネル及び前記第２Ｄ２Ｄ制御チャネルは、前記第１ＴＡ値及び前記第２ＴＡ値を適用することなく送信される、端末。
【請求項５】
前記更新された第２ＴＡ値を適用することによって、前記基地局に対する上りリンク信号は、送信される、請求項４に記載の端末。
【請求項６】
前記第１Ｄ２Ｄデータチャネルは、前記第２Ｄ２Ｄ制御チャネルが送信されるまで、前記第１ＴＡ値に基づいて送信される、請求項４に記載の端末。